(57)【特許請求の範囲】
【請求項１】
電磁ソレノイドをデューティー制御することにより吐出室とクランク室とを連通する連通路を開閉制御するように構成された可変容量圧縮機の容量制御弁の制御回路であって、電磁ソレノイドの電源電圧の増減に対応して電磁ソレノイドに流れるパルス電流のデューティー比を減増させる手段を備え、電磁ソレノイドは半導体スイッチング素子を介して直流電源に接続され、前記手段は、電磁ソレノイドの電磁コイルに流れるパルス電流をパルス電圧に変換する電流電圧変換回路と、電流電圧変換回路の出力であるパルス電圧を直流電圧に変換するローパスフィルタと、ローパスフィルタの出力電圧が反転入力側に入力され外部入力可変電圧が非反転入力側に入力される誤差増幅器と、三角波発振器と、三角波発振器の出力電圧が反転入力側に入力され誤差増幅器の出力電圧が非反転入力側に入力されるＰＷＭ比較器と、電流電圧変換回路の出力であるパルス電圧が非反転入力側に入力され過電流レベル設定用基準電圧が反転入力側に入力される過電流比較器と、過電流比較器の出力電圧が入力されるラッチ回路と、ＰＷＭ比較器の出力である方形パルス電圧が一方の側に入力されラッチ回路の出力が他方の側に入力されるＡＮＤ回路と、ＡＮＤ回路の出力電圧である方形波電圧が入力される半導体スイッチング素子駆動回路とを備えることを特徴とする可変容量圧縮機の容量制御弁の制御回路。
【請求項２】
誤差増幅器と、三角波発振器と、ＰＷＭ比較器と、ラッチ回路と、ＡＮＤ回路と、半導体スイッチング素子駆動回路とがスイッチング電源制御用ＩＣによって構成されていることを特徴とする請求項１に記載の制御回路。
【発明の詳細な説明】
【０００１】
【発明の属する技術分野】
本発明は可変容量圧縮機の容量制御弁の制御回路に関するものである。
【０００２】
【従来の技術】
本願出願人は、特願平９−２６０３４５号、特願平９−２７１５１６号等において、電磁ソレノイドに流す電流値を制御して吐出室とクランク室とを連通する連通路を開閉制御するように構成した斜板式可変容量圧縮機の容量制御弁を提案した。上記容量制御弁を備える斜板式可変容量圧縮機においては、容量制御弁が吐出室とクランク室とを連通する連通路を開閉し、吐出室内の高圧ガスをクランク室へ導入し或いは導入を遮断して、クランク室内のガス圧と吸入室内のガス圧との差圧を制御することにより、斜板の傾斜角を制御し、圧縮機の吐出容量を制御する。容量制御弁の電磁ソレノイドに流す電流値を制御することにより、圧縮機の吐出容量が制御される。
【０００３】
特願平９−２６０３４５号、特願平９−２７１５１６号等の容量制御弁の電磁ソレノイドは図４に示す制御回路によりデューティー制御される。図４に示すように、電磁ソレノイドの電磁コイル１が、半導体スイッチング素子２を介して、直流電源３に接続されている。三角波発振器４の所定周波数ｆの三角波出力電圧がＰＷＭ比較器５の反転入力側に入力され、外部入力可変電圧６がＰＷＭ比較器５の非反転入力側に入力される。外部入力可変電圧６は、自動車用空気調和装置の運転状態に応じて、当該空気調和装置の可変容量圧縮機の容量を制御するために、当該空気調和装置の制御装置により入力される直流電圧である。ＰＷＭ比較器５は、三角波入力電圧と直流入力電圧とを比較し、比較値に応じたＯＮパルス幅の周波数ｆの方形波電圧を出力する。外部入力可変電圧６が大きくなる程、方形波出力電圧のＯＮパルス幅は大きくなる。ＰＷＭ比較器５の方形波出力電圧は半導体スイッチング素子駆動回路７を介して半導体スイッチング素子２に入力される。
【０００４】
半導体スイッチング素子２はＰＷＭ比較器５の方形波出力電圧によりＯＮ／ＯＦＦされ、電磁ソレノイドの電磁コイル１に周波数ｆの方形波電流が流れる。ＰＷＭ比較器５の方形波出力電圧のＯＮパルス幅が広くなる程電磁ソレノイドの電磁コイル１に流れる方形波電流のＯＮパルス幅が広くなり、電磁ソレノイドの電磁コイル１に流れるパルス電流のデューティー比が大きくなり、平均電流が大きくなる。ＰＷＭ比較器５の方形波出力電圧のＯＮパルス幅が狭くなる程電磁ソレノイドの電磁コイル１に流れる方形波電流のＯＮパルス幅が狭くなり、電磁ソレノイドの電磁コイル１に流れるパルス電流のデューティー比が小さくなり、平均電流が小さくなる。上記説明から分かるように、図４の制御回路によれば、外部入力可変電圧６を制御することにより、電磁ソレノイドの電磁コイル１に流れるパルス電流のデューティー比が制御され、平均電流が制御され、ひいては、可変容量圧縮機の吐出容量が制御される。尚、図４において還流ダイオード８は、半導体スイッチング素子２のＯＦＦ時に過大電圧がスイッチング素子２にかかるのを防止し、半導体スイッチング素子２の損傷を防止するためのものである。
【０００５】
【発明が解決しようとする課題】
図４に示す従来の制御回路によれば、電源電圧３が安定していれば、外部入力可変電圧６を制御し、電磁ソレノイドの電磁コイル１に流れる電流のデューティー比を制御することにより、電磁ソレノイドの電磁コイル１に流れる平均電流を制御することができ、容量制御弁の作動を安定して制御することができる。しかし、電源電圧３が変化すると、電磁ソレノイドの電磁コイル１に流れる方形波電流のＯＮパルスの電流値が変化し、電磁ソレノイドの電磁コイル１に流れる平均電流が変化するので、電源電圧３が不安定であると、容量制御弁の作動を安定して制御できず、ひいては可変容量圧縮機の吐出容量を安定して制御できないという問題がある。本発明は上記問題に鑑みてなされたものであり、電磁ソレノイドをデューティー制御することにより吐出室とクランク室とを連通する連通路を開閉制御するように構成された可変容量圧縮機の容量制御弁の制御回路であって、電磁ソレノイドの電源電圧が不安定であっても、容量制御弁の作動を安定して制御でき、ひいては可変容量圧縮機の吐出容量を安定して制御できる制御回路を提供することを目的とする。
【０００６】
【課題を解決するための手段】
上記課題を解決するために、本発明においては、電磁ソレノイドをデューティー制御することにより吐出室とクランク室とを連通する連通路を開閉制御するように構成された可変容量圧縮機の容量制御弁の制御回路であって、電磁ソレノイドの電源電圧の増減に対応して電磁ソレノイドに流れるパルス電流のデューティー比を減増させる手段を備え、電磁ソレノイドは半導体スイッチング素子を介して直流電源に接続され、前記手段は、電磁ソレノイドの電磁コイルに流れるパルス電流をパルス電圧に変換する電流電圧変換回路と、電流電圧変換回路の出力であるパルス電圧を直流電圧に変換するローパスフィルタと、ローパスフィルタの出力電圧が反転入力側に入力され外部入力可変電圧が非反転入力側に入力される誤差増幅器と、三角波発振器と、三角波発振器の出力電圧が反転入力側に入力され誤差増幅器の出力電圧が非反転入力側に入力されるＰＷＭ比較器と、電流電圧変換回路の出力であるパルス電圧が非反転入力側に入力され過電流レベル設定用基準電圧が反転入力側に入力される過電流比較器と、過電流比較器の出力電圧が入力されるラッチ回路と、ＰＷＭ比較器の出力である方形パルス電圧が一方の側に入力されラッチ回路の出力が他方の側に入力されるＡＮＤ回路と、ＡＮＤ回路の出力電圧である方形波電圧が入力される半導体スイッチング素子駆動回路とを備えることを特徴とする可変容量圧縮機の容量制御弁の制御回路を提供する。
本発明に係る制御回路においては、電磁ソレノイドの電源電圧が増加した場合には、電磁ソレノイドの電磁コイルに流れるパルス電流のデューティー比が減少して、電磁ソレノイドの電磁コイルに流れる平均電流の、電源電圧の増加による増加がパルス電流のデューティー比の減少による減少によって相殺され、電磁ソレノイドの電源電圧が減少した場合には、電磁ソレノイドに流れるパルス電流のデューティー比が増加して、電磁ソレノイドの電磁コイルに流れる平均電流の、電源電圧の減少による減少がパルス電流のデューティー比の増加による増加によって相殺されるので、電磁ソレノイドの電源電圧が不安定であっても、電磁ソレノイドの電磁コイルに流れる平均電流は安定し、電磁ソレノイドの作動は安定する。従って、本発明に係る制御回路を用いることにより、容量制御弁の作動を安定して制御することができ、ひいては可変容量圧縮機の吐出容量を安定して制御することができる。
【０００７】
本発明においては、電磁ソレノイドは半導体スイッチング素子を介して直流電源に接続され、前記手段は、電磁ソレノイドの電磁コイルに流れるパルス電流をパルス電圧に変換する電流電圧変換回路と、電流電圧変換回路の出力であるパルス電圧を直流電圧に変換するローパスフィルタと、ローパスフィルタの出力電圧が反転入力側に入力され外部入力可変電圧が非反転入力側に入力される誤差増幅器と、三角波発振器と、三角波発振器の出力電圧が反転入力側に入力され誤差増幅器の出力電圧が非反転入力側に入力されるＰＷＭ比較器と、ＰＷＭ比較器の出力電圧である方形パルス電圧が入力される半導体スイッチング素子駆動回路とを備える。上記構成によれば、誤差増幅器の反転入力側に入力される直流電圧は電磁ソレノイドの電磁コイルに流れるパルス電流の平均電流の増減に応じて増減するので、誤差増幅器の非反転入力側に入力される外部入力可変電圧が一定であれば、誤差増幅器の出力電圧は、電磁ソレノイドの電磁コイルに流れるパルス電流の平均電流が増加すれば減少し、電磁ソレノイドの電磁コイルに流れるパルス電流の平均電流が減少すれば増加する。ＰＷＭ比較器の出力方形波電圧のＯＮパルス幅は、ＰＷＭ比較器の非反転側入力に入力される誤差増幅器の出力電圧の増減に応じて増減するので、電磁ソレノイドの電磁コイルに流れるパルス電流の平均電流が増加すればＰＷＭ比較器の出力方形波電圧のＯＮパルス幅は減少し、電磁ソレノイドの電磁コイルに流れるパルス電流の平均電流が減少すればＰＷＭ比較器の出力方形波電圧のＯＮパルス幅は増加する。この結果、電磁ソレノイドの電源電圧が増加した場合には、電磁ソレノイドの電磁コイルに流れるパルス電流のデューティー比が減少して、電磁ソレノイドの電磁コイルに流れる平均電流の、電源電圧の増加による増加がパルス電流のデューティー比の減少による減少によって相殺され、電磁ソレノイドの電源電圧が減少した場合には、電磁ソレノイドの電磁コイルに流れるパルス電流のデューティー比が増加して、電磁ソレノイドの電磁コイルに流れる平均電流の、電源電圧の減少による減少がパルス電流のデューティー比の増加による増加によって相殺されるので、電磁ソレノイドの電源電圧が不安定であっても、電磁ソレノイドの電磁コイルには一定の平均電流が流れ、電磁ソレノイドの作動は安定する。従って、本発明に係る制御回路を用いることにより、容量制御弁の作動を安定して制御することができ、ひいては可変容量圧縮機の吐出容量を安定して制御することができる。
【０００８】
電流電圧変換回路の出力であるパルス電圧を過電流比較器の非反転入力側に入力し、過電流レベル設定用基準電圧を過電流比較器の反転入力側に入力し、過電流比較器の出力電圧をラッチ回路に入力し、ＰＷＭ比較器の出力である方形パルス電圧をＡＮＤ回路の一方の側に入力しラッチ回路の出力をＡＮＤ回路の他方の側に入力し、ＡＮＤ回路の出力電圧である方形波電圧を半導体スイッチング素子駆動回路に入力することにより、電磁ソレノイドの電磁コイルがショートした場合に半導体スイッチング素子に過電流が流れて半導体スイッチング素子が損傷するのを防止することができる。
【０００９】
本発明の好ましい態様においては、誤差増幅器と、三角波発振器と、ＰＷＭ比較器と、ラッチ回路と、ＡＮＤ回路と、半導体スイッチング素子駆動回路とがスイッチング電源制御用ＩＣによって構成されている。
誤差増幅器と、三角波発振器と、ＰＷＭ比較器と、ラッチ回路とＡＮＤ回路とから成る保護回路と、半導体スイッチング素子駆動回路とを内蔵するスイッチング電源制御用ＩＣを使用することにより、制御回路を小型化することができる。
【００１０】
【発明の実施の形態】
本発明の参考例に係る可変容量圧縮機の容量制御弁の制御回路を図１に基づいて説明する。図１から分かるように、本参考例に係る制御回路においては、半導体スイッチング素子２と直流電源３との間に、電磁ソレノイドの電磁コイル１に流れるパルス電流をパルス電圧に変換する電流電圧変換回路９が配設されている。電流電圧変換回路９の具体例としてシャント抵抗を用いた変換回路等が挙げられ。電流電圧変換回路９の出力電圧であるパルス電圧は、ローパスフィルター１０によって直流電圧に変換される。ローパスフィルター１０の出力電圧である直流電圧は、誤差増幅器１１の反転側入力に入力され、外部入力可変電圧６が誤差増幅器１１の非反転側入力に入力される。誤差増幅器１１の出力電圧がＰＷＭ比較器５の非反転入力側に入力さる。三角波発振器４とＰＷＭ比較器５との接続の態様、ＰＷＭ比較器５と半導体スイッチング素子駆動回路７との接続の態様は、図４の従来の制御回路と同一である。
【００１１】
本参考例に係る制御装置によれば、誤差増幅器１１の反転入力側に入力される直流電圧は電磁ソレノイドの電磁コイル１に流れるパルス電流の平均電流の増減に応じて増減するので、誤差増幅器１１の非反転入力側に入力される外部入力可変電圧６が一定であれば、誤差増幅器１１の出力電圧は、電磁ソレノイドの電磁コイル１に流れるパルス電流の平均電流が増加すれば減少し、電磁ソレノイドの電磁コイル１に流れるパルス電流の平均電流が減少すれば増加する。ＰＷＭ比較器５の出力方形波電圧のＯＮパルス幅は、ＰＷＭ比較器５の非反転側入力に入力される誤差増幅器１１の出力電圧の増減に応じて増減するので、電磁ソレノイドの電磁コイル１に流れるパルス電流の平均電流が増加すればＰＷＭ比較器５の出力方形波電圧のＯＮパルス幅は減少し、電磁ソレノイドの電磁コイル１に流れるパルス電流の平均電流が減少すればＰＷＭ比較器５の出力方形波電圧のＯＮパルス幅は増加する。
【００１２】
この結果、電磁ソレノイドの電源電圧３が増加した場合には、電磁ソレノイドの電磁コイル１に流れるパルス電流のデューティー比が減少して、電磁ソレノイドの電磁コイル１に流れる平均電流の、電源電圧３の増加による増加がパルス電流のデューティー比の減少による減少によって相殺され、電磁ソレノイドの電源電圧３が減少した場合には、電磁ソレノイドの電磁コイル１に流れるパルス電流のデューティー比が増加して、電磁ソレノイドの電磁コイル１に流れる平均電流の、電源電圧３の減少による減少がパルス電流のデューティー比の増加による増加によって相殺されるので、電磁ソレノイドの電源電圧３が不安定であっても、電磁ソレノイドの電磁コイル１に流れる平均電流は安定し、電磁ソレノイドの作動は安定する。従って、本参考例に係る制御回路を用いることにより、容量制御弁の作動を安定して制御することができ、ひいては可変容量圧縮機の吐出容量を安定して制御することができる。
【００１３】
本発明の第２参考例に係る制御回路を図２に基づいて説明する。本参考例に係る制御回路においては、図２で破線１２で囲んだ部分、即ち誤差増幅器１１と、三角波発振器４と、ＰＷＭ比較器５と、半導体スイッチング素子駆動回路７とを含む部分がスイッチング電源制御用ＩＣによって構成されている。上記を除き、本参考例に係る制御回路の構成は第１参考例に係る制御回路の構成と同一である。スイッチング電源制御用ＩＣには、誤差増幅器と、三角波発振器と、ＰＷＭ比較器と、半導体スイッチング素子駆動回路とが内蔵されているのが一般的である。本参考例に係る制御回路においては、制御回路中の誤差増幅器１１と、三角波発振器４と、ＰＷＭ比較器５と、半導体スイッチング素子駆動回路７とを含む部分をスイッチング電源制御用ＩＣによって構することにより、回路の小型化が図られている。
【００１４】
本発明の実施例に係る制御回路を図３に基づいて説明する。本実施例に係る制御回路においては、電流電圧変換回路９の出力電圧であるパルス電圧が過電流比較器１３の非反転入力側に入力され、過電流レベル設定用基準電圧１４が過電流比較器１３の反転入力側に入力される。過電流比較器１３の出力電圧がラッチ回路１５に入力され、ラッチ回路１５の出力がＡＮＤ回路１６の一方の側に入力される。ＰＷＭ比較器５の出力電圧がＡＮＤ回路１６の他方の側に入力される。ＡＮＤ回路１６の出力電圧である方形波電圧が半導体スイッチング素子駆動回路７を介して半導体スイッチング素子２に入力される。電流電圧変換回路９、ローパスフィルター１０、誤差増幅器１１、入力可変電圧６、三角波発振器４、ＰＷＭ比較器５の相互接続状態は、第２参考例に係る制御回路と同一である。
【００１５】
上記構成によれば、電磁ソレノイドの電磁コイル１に基準電流を越える過電流が流れると、電流電圧変換回路９の出力電圧が過電流レベル設定用基準電圧１４を越え、過電流比較器１３の出力が“１”になる。ラッチ回路１５の入力が一瞬でも“１”になると、ラッチ回路１５の出力は“０”に保持される。ＡＮＤ回路１６の片側入力が“０”になると、ＡＮＤ回路１６の出力が“０”になり、半導体スイッチング素子２への方形パルス電圧の供給が遮断され、電磁ソレノイドの電磁コイル１を流れる電流が停止する。この結果、電磁ソレノイドの電磁コイル１がショートした場合に半導体スイッチング素子２に過電流が流れて半導体スイッチング素子２が損傷するのが防止される。
【００１６】
スイッチング電源制御用ＩＣには、誤差増幅器と、三角波発振器と、ＰＷＭ比較器と、半導体スイッチング素子駆動回路とが内蔵されと共に、半導体スイッチング素子を過電流から保護する保護回路が内蔵されているのが一般的である。本実施例に係る制御回路においては、図３で破線１７で囲んだ部分、即ち誤差増幅器１１と、三角波発振器４と、ＰＷＭ比較器５と、半導体スイッチング素子駆動回路７とを含み、更に図３で太破線１８で囲んだラッチ回路１５とＡＮＤ回路１６とにより構成される保護回路を含む部分がスイッチング電源制御用ＩＣによって構成されている。本実施例に係る制御回路においては、制御回路中の誤差増幅器１１と、三角波発振器４と、ＰＷＭ比較器５と、半導体スイッチング素子駆動回路７と、ラッチ回路１５とＡＮＤ回路１６とにより構成される保護回路とをスイッチング電源制御用ＩＣによって構することにより、回路の小型化が図られている。
【００１７】
以上本発明の実施例を説明したが、本発明は上記実施例に限定されない。上記実施例においては、電磁ソレノイドの電源電圧の増減に対応して電磁ソレノイドの電磁コイルに流れるパルス電流のデューティー比を減増させる手段をハード的に構成したが、空気調和装置の制御装置が備える記憶手段に記憶された制御プログラムに基づき、直流電源電圧３の変動による電磁ソレノイドの電磁コイル１に流れる平均電流の変動を相殺するように、外部入力可変電圧６を制御して電磁ソレノイドの電磁コイルに流れるパルス電流のデューティー比を制御するように構成しても良い。
【００１８】
【発明の効果】
以上説明したごとく、本発明に係る制御回路においては、電磁ソレノイドの電源電圧が増加した場合には、電磁ソレノイドの電磁コイルに流れるパルス電流のデューティー比が減少して、電磁ソレノイドの電磁コイルに流れる平均電流の、電源電圧の増加による増加がパルス電流のデューティー比の減少による減少によって相殺され、電磁ソレノイドの電源電圧が減少した場合には、電磁ソレノイドに流れるパルス電流のデューティー比が増加して、電磁ソレノイドの電磁コイルに流れる平均電流の、電源電圧の減少による減少がパルス電流のデューティー比の増加による増加によって相殺されるので、電磁ソレノイドの電源電圧が不安定であっても、電磁ソレノイドの電磁コイルに流れる平均電流は安定し、電磁ソレノイドの作動は安定する。従って、本発明に係る制御回路を用いることにより、容量制御弁の作動を安定して制御することができ、ひいては可変容量圧縮機の吐出容量を安定して制御することができる。
【００１９】
電磁ソレノイドを半導体スイッチング素子を介して直流電源に接続し、電磁ソレノイドの電磁コイルに流れるパルス電流をパルス電圧に変換する電流電圧変換回路と、電流電圧変換回路の出力であるパルス電圧を直流電圧に変換するローパスフィルタと、ローパスフィルタの出力電圧が反転入力側に入力され外部入力可変電圧が非反転入力側に入力される誤差増幅器と、三角波発振器と、三角波発振器の出力電圧が反転入力側に入力され誤差増幅器の出力電圧が非反転入力側に入力されるＰＷＭ比較器と、ＰＷＭ比較器の出力である方形パルス電圧が入力される半導体スイッチング素子駆動回路とを用いて半導体スイッチング素子を駆動すれば、誤差増幅器の反転入力側に入力される直流電圧は電磁ソレノイドの電磁コイルに流れるパルス電流の平均電流の増減に応じて増減するので、誤差増幅器の非反転入力側に入力される外部入力可変電圧が一定であれば、誤差増幅器の出力電圧は、電磁ソレノイドの電磁コイルに流れるパルス電流の平均電流が増加すれば減少し、電磁ソレノイドの電磁コイルに流れるパルス電流の平均電流が減少すれば増加する。ＰＷＭ比較器の出力方形波電圧のＯＮパルス幅は、ＰＷＭ比較器の非反転側入力に入力される誤差増幅器の出力電圧の増減に応じて増減するので、電磁ソレノイドの電磁コイルに流れるパルス電流の平均電流が増加すればＰＷＭ比較器の出力方形波電圧のＯＮパルス幅は減少し、電磁ソレノイドの電磁コイルに流れるパルス電流の平均電流が減少すればＰＷＭ比較器の出力方形波電圧のＯＮパルス幅は増加する。
【００２０】
この結果、電磁ソレノイドの電源電圧が増加した場合には、電磁ソレノイドの電磁コイルに流れるパルス電流のデューティー比が減少して、電磁ソレノイドの電磁コイルに流れる平均電流の、電源電圧の増加による増加がパルス電流のデューティー比の減少による減少によって相殺され、電磁ソレノイドの電源電圧が減少した場合には、電磁ソレノイドの電磁コイルに流れるパルス電流のデューティー比が増加して、電磁ソレノイドの電磁コイルに流れる平均電流の、電源電圧の減少による減少がパルス電流のデューティー比の増加による増加によって相殺されるので、電磁ソレノイドの電源電圧が不安定であっても、電磁ソレノイドの電磁コイルには一定の平均電流が流れ、電磁ソレノイドの作動は安定する。従って、本発明に係る制御回路を用いることにより、容量制御弁の作動を安定して制御することができ、ひいては可変容量圧縮機の吐出容量を安定して制御することができる。
【００２１】
スイッチング電源制御用ＩＣには、誤差増幅器と、三角波発振器と、ＰＷＭ比較器と、半導体スイッチング素子駆動回路とが内蔵されているのが一般的である。従って、スイッチング電源制御用ＩＣを使用することにより、制御回路を小型化することができる。
【００２２】
スイッチング電源制御用ＩＣには、半導体スイッチング素子を過電流から保護する保護回路が内蔵されているのが一般的である。従って、スイッチング電源制御用ＩＣを使用して、半導体スイッチング素子の過電流保護回路を構成することにより、電磁ソレノイドの電磁コイルがショートした場合に半導体スイッチング素子に過電流が流れて半導体スイッチング素子が損傷するのを防止することができ、且つ制御回路を小型化することができる。
【図面の簡単な説明】
【図１】本発明の第１参考例に係る可変容量圧縮機の容量制御弁の制御回路の回路図である。
【図２】本発明の第２参考例に係る可変容量圧縮機の容量制御弁の制御回路の回路図である。
【図３】本発明の実施例に係る可変容量圧縮機の容量制御弁の制御回路の回路図である。
【図４】従来の可変容量圧縮機の容量制御弁の制御回路の回路図である。
【符号の説明】
１ 電磁ソレノイドの電磁コイル
２ 半導体スイッチング素子
３ 電磁ソレノイドの直流電源
４ 三角波発信回路
５ ＰＷＭ比較器
６ 外部入力可変電圧
７ 半導体スイッチング素子駆動回路
９ 電流電圧変換回路
１０ ローパスフィルタ
１１ 誤差増幅器
１３ 過電流比較器
１４ 過電流レベル設定用基準電圧
１５ ラッチ回路
１６ ＡＮＤ回路
【図１】
0004118414.tif 000002
【図２】
0004118414.tif 000003
【図３】
0004118414.tif 000004
【図４】
0004118414.tif 000005